(57)【特許請求の範囲】
【請求項１】
樹高２ｍ程度に育成した、ハナミズキの園芸品種であるクラウドナインの偶発実生の特性観察を継続的に行い、株中間部における主幹に対する枝中間部の角度が２５°〜３５°で且つ花が大きいものを選抜基準として選抜し、この選抜したものを接木による増殖を行い、増殖させたものを栽培地に定植し、育成し、６年生の株中間部における主幹に対する枝中間部の角度が２５°〜３５°で且つ総苞を含む花序の大きさが１１〜１４ｃｍであり、ウドンコ病に対する耐性が強いハナミズキを作出する、ハナミズキの新品種の育成方法。
【請求項２】
作出された上記ハナミズキは、６年生の樹高が４〜６ｍである請求項１記載のハナミズキの新品種の育成方法。
【発明の詳細な説明】
【０００１】
【発明の属する技術分野】
本発明は、コルヌス属に属する新植物、詳しくは、樹姿が直立性で、花が大きく、しかも病害抵抗性（特にウドンコ病に対する耐性）が強く、街路樹及び庭木として好適な新規ハナミズキを作出するハナミズキの新品種の育成方法に関する。
【０００２】
【従来の技術及び発明が解決しようとする課題】
ハナミズキは街路樹及び庭木として広く植えられており、その品種としては、クラウドナイン、チェロキーチーフなど、種々のものが知られている。しかし、これらの従来のハナミズキは、樹姿が半直立性で横枝が張っているため、栽植密度が低く、栽培管理に多くの剪定を要し、雪による枝折れが多い、花が小さく且つ下枝の花つきが悪いため観賞性に劣る、病害抵抗性、特にウドンコ病に対する耐性が弱いなどの欠点があった。
また、街路樹として植えた場合、車道や歩道に枝が張り出し、景観的に劣るとともに剪定管理作業を多く必要とし、管理コストが多くかかった。また、枝張りが大きいため、狭い個人宅の庭にはシンボルツリーとして植栽しにくいなどの欠点もあった。
【０００３】
従って、本発明の目的は、上記欠点のないハナミズキを作出するハナミズキの新品種の育成方法、即ち、樹姿が直立性で横枝が張らないため、栽植密度が高く、栽培管理が容易で、雪による枝折れが起こり難く、また花が大きく且つ下枝の花つきも良いため観賞性に優れ、しかも病害抵抗性、特に、ウドンコ病に対する耐性が強いハナミズキを作出するハナミズキの新品種の育成方法を提供することにある。
【０００４】
【課題を解決するための手段】
本発明は、樹高２ｍ程度に育成した、ハナミズキの園芸品種であるクラウドナインの偶発実生の特性観察を継続的に行い、株中間部における主幹に対する枝中間部の角度が２５°〜３５°で且つ花が大きいものを選抜基準として選抜し、この選抜したものを接木による増殖を行い、増殖させたものを栽培地に定植し、育成し、６年生の株中間部における主幹に対する枝中間部の角度が２５°〜３５°で且つ総苞を含む花序の大きさが１１〜１４ｃｍであり、ウドンコ病に対する耐性が強いハナミズキを作出する、ハナミズキの新品種の育成方法を提供することにより、上記目的を達成したものである。
本発明のハナミズキの新品種の育成方法により作出（育成）されたハナミズキは、「ホワイトラブ」と命名され、発明者の浅子光雄宅（埼玉県さいたま市大字大崎２３９５番地１）に存在する。以下、「本発明のハナミズキ」という場合は、本発明のハナミズキの新品種の育成方法により作出されたハナミズキを意味する。
【０００５】
【発明の実施の形態】
以下、本発明のハナミズキ（ホワイトラブと言うこともある）を図面を参照しながら説明する。
図１は、本発明のハナミズキの開花期の遠景写真であり、図２は、本発明のハナミズキの落葉期の遠景写真であり、図３は、本発明のハナミズキの花の写真であり、図４は、本発明のハナミズキの開花の状態を示す写真である。
【０００６】
本発明のハナミズキは、図１及び図２に示すように、樹姿が直立性で横枝が張らず、樹高が極めて高い。
また、本発明のハナミズキは、枝が太く、新梢の色は緑、枝の色は褐色で模様はない。葉は、全体の形が楕円形で、先端は鋭尖形、基部は円形である。成葉表面の色は緑で光沢は中程度、秋季の葉色は紅色と橙色の中間色である。
また、花序のタイプは頭状花序で、その向きは上向きである。図３及び図４に示すように、総苞を含む花序の大きさは極めて大きく、一重咲きである。総苞全体の形は倒卵形で、総苞片の長さは長く、幅は広い。総苞片数は４枚で、黄白色である。
また、果実の形は楕円形で、長さはやや長く、幅はやや狭い。到花樹齢及び花つきは中程度で、一季咲きで、開花期は中程度である。
また、耐寒性、耐暑性及び虫害抵抗性は中程度で、病害抵抗性はウドンコ病に対して強い。
【０００７】
本発明のハナミズキ（ホワイトラブ）の特性を、類似品種のクラウドナイン及びチェロキーチーフの特性と対照させて下記の〔表１〕〜〔表３〕に示す。該特性の調査の概要は次の通りである。
〔特性調査の概要〕
栽培地：埼玉県さいたま市大字大崎２３９５番地１
栽培年月及び期間：平成６年３月〜平成１０年２月、４年間
栽培方法：土耕栽培
栽培規模：６年生  ２００株、５年生  ５００株
【０００８】
【表１】
0003820058.tif 000002
【０００９】
【表２】
0003820058.tif 000003
【００１０】
【表３】
0003820058.tif 000004
【００１１】
また、本発明のハナミズキ（ホワイトラブ）と、類似品種のクラウドナインとの樹形（成木の樹形及び出荷段階の若木の樹形）の比較結果を下記の〔表４〕及び〔表５〕に示す。
【００１２】
【表４】
0003820058.tif 000005
【００１３】
【表５】
0003820058.tif 000006
【００１４】
次に、本発明のハナミズキの作出過程（育成の経過）について説明する。
昭和５９年１０月に採取したクラウドナインの種子７０００粒を同年１１月に播種した。６０００本が発芽し、昭和６１年４月に３０００本を栽培地（埼玉県さいたま市大字大崎２３９５番地１）に定植し、育成した。昭和６３年に樹形が他のものと異なるものがあることに気づき、昭和６３年１０月から樹高２ｍ程度に育成した偶発実生の特性観察を継続的に行った。平成２年１０月に株中間部における主幹に対する枝中間部の角度が２５°〜３５°で且つ花が大きいものを選抜基準とし、２本を選抜し、平成３年２月に接木による増殖を行い、２００本を栽培地に定植し、育成した。次いで、これらの２００本について上記と同じ増殖、育成を行った。以後、このような増殖、育成の操作を繰り返した。
【００１５】
本発明のハナミズキの適応地域は、北海道南部以南であり、栽培上の留意事項は特にない。
本発明のハナミズキ（ホワイトラブ）の栽培方法の一例を、類似品種のクラウドナインと対照させて下記の〔表６〕に示す。
【００１６】
【表６】
0003820058.tif 000007
【００１７】
また、本発明のハナミズキ（ホワイトラブ）及び類似品種のクラウドナインについて、樹高５ｍの若木まで無剪定で管理した場合の１株に必要な面積及び栽植密度を下記の〔表７〕に示す。
【００１８】
【表７】
0003820058.tif 000008
【００１９】
また、本発明のハナミズキ（ホワイトラブ）及び類似品種のクラウドナインについて、ウドンコ病に対する耐性及び雪による枝折れを調査した。その結果を下記の〔表８〕及び〔表９〕に示す。
【００２０】
【表８】
0003820058.tif 000009
【００２１】
【表９】
0003820058.tif 000010
【００２２】
【発明の効果】
本発明のハナミズキは、樹姿が直立性で横枝が張らないため、栽植密度が高く、栽培管理が容易で、雪による枝折れが起こり難く、また花が大きく且つ下枝の花つきも良いため観賞性に優れ、しかも病害抵抗性、特にウドンコ病に対する耐性が強い。
【図面の簡単な説明】
【図１】図１は、本発明のハナミズキの開花期の遠景写真である。
【図２】図２は、本発明のハナミズキの落葉期の遠景写真である。
【図３】図３は、本発明のハナミズキの花の写真である。
【図４】図４は、本発明のハナミズキの開花の状態を示す写真である。
【図１】
0003820058.tif 000011
【図２】
0003820058.tif 000012
【図３】
0003820058.tif 000013
【図４】
0003820058.tif 000014